(57)【特許請求の範囲】
【請求項１】
弁室内の弁座に弁軸によって接離する弁体で通過流量を調整する弁本体と、該弁本体に固着され前記弁体を弁座に接離させるロータを内蔵するキャンと、該キャンに外嵌され前記ロータを回転駆動するステータとを備えた電動弁において、
前記弁体を弁座に接離させる駆動機構は、前記弁本体よりロータ方向に延出して固定され固定ねじ部が形成されたガイドブッシュと、前記ロータを支持し該ガイドブッシュの固定ねじ部に螺合する移動ねじ部を有する弁軸ホルダとから構成されるねじ送り機構であり、前記弁軸ホルダとロータの上端部とは支持リングを介してかしめ固定され、前記支持リングはかしめ固定部の外周に溝部を有することを特徴とする電動弁。
【請求項２】
前記弁軸ホルダとロータの上端部とは支持リングを介してかしめ固定され、前記支持リングはリングの内周部に凹部を有することを特徴とする請求項１記載の電動弁。
【請求項３】
前記かしめ固定はスピニングかしめによって行なわれることを特徴とする請求項２記載の電動弁。
【請求項４】
前記ねじ送り機構は前記ロータ内に位置することを特徴とする請求項１に記載の電動弁。
【発明の詳細な説明】
【０００１】
【発明の属する技術分野】
本発明は、空気調和機、冷凍機等に組み込まれて使用される電動弁に係り、特に小型化を達成することができる電動弁に関する。
【０００２】
【従来の技術】
従来、この種の空気調和機、冷凍機等に組み込まれて使用される電動弁は、冷媒等の流体の流量を調整する機器であり、通常、弁室および弁座を備えた弁本体と、鍔状部を介して前記弁本体の上部に固着された有底円筒状のキャンとを備えており、該キャンの内側にはロータが内蔵され、前記キャンの外部には中央部に挿通孔を有するステータが外嵌されているものである。
【０００３】
図８は前記したような従来の電動弁１の縦断面図を示しており、弁本体２は弁室２ｃと、ガイドブッシュ固定部２ｄと、キャン固着部２ｅとを備え、弁室２ｃには冷媒等の流体が出入する流体流出管２ａ、流体流入管２ｂが設けられるとともに、その内部には弁軸３の先端に形成された弁体３ａであるニードル弁が接離する弁座２ｆが配設されている。
【０００４】
前記ガイドブッシュ固定部２ｄは、弁室の上方に位置し、弁本体２とガイドブッシュ４とを固定する。該ガイドブッシュ４の内周には雌ねじ部４ａが形成され、該雌ねじ部４ａには弁軸ホルダ５の外周に形成された雄ねじ部５ａが螺合され、雌ねじ部と雄ねじ部とによりねじ送り機構が構成されている。そして、この弁軸ホルダ５内には、下端部に弁体３ａを形成している弁軸３が摺動可能に嵌挿されており、該弁軸３は弁軸ホルダ内５に縮装された圧縮コイルばね３ｂによって常時下方に付勢されている。
【０００５】
キャン固着部２ｅは弁本体２の上端に位置し、内周面をかしめ固定されるとともに下端面を溶接により接合されているリング状金属板で構成され、その外周部にてキャン６の鍔状部と溶接され弁本体２にキャン６を固定している。弁軸３とロータ７との結合は、弁軸３に弁軸ホルダ５と一体成形されるスリーブ５ａを外嵌させるとともに、これを永久磁石付きのロータ７に内嵌させることによって行われている。弁軸３の上端にはプッシュナット３ｃが圧入固定され、その鍔部が弁軸３に若干の上下動を許容してロータ７に結合している。また、弁軸３およびロータ７の上方移動の最上限は、ロータ７の上部に設けられているばね７ｂとキャン６の内面との接触によって行われる。弁軸ホルダ５に固定される下ストッパ４ｂとスリーブ５ａに形成される上ストッパ５ｂとによりストッパ機構が構成される。
【０００６】
キャン６の内部にはロータ７が内蔵され、キャン６の外部にはステータ８が外嵌されている。ステータ８の内部には上下にステータコイル８ａおよびヨーク８ｂが格納されており、ステータコイル８ａはリード線８ｃおよびステータ８の外周に設けられたコネクタ８ｄを通じて通電される。ステータコイル８ａの通電によりヨーク８ｂが励磁されてロータ７を回転させ、ねじ送り機構により弁軸ホルダ５と弁軸３を摺動させることにより弁体３ａを開閉作動させて冷媒の流量の調整を行っている。ステータ８にはコネクタのカバー８ｅが接着されている。
【０００７】
ステータ８の下方に金属製のリング状の取付板９を固定し、この取付板９と一体に形成された回り止め片９ａを、弁本体２から水平方向に突出する流体流出管２ａに係合させるとともに、弁本体２とキャン６とのリング状溶接部の一辺に係合孔９ｂを係合させ、リング状溶接部の他辺には取付板９と一体に形成された押圧片９ｃを押圧させてステータ８を固定している。
【０００８】
【発明が解決しようとする課題】
ところで、前記した電動弁１においては、弁軸３および弁軸ホルダ５を摺動させるガイドブッシュ４の内周の雌ねじ部４ａと、弁軸ホルダ５の外周の雄ねじ部５ａがロータの下方に位置しており、キャン全長および弁本体の外径が大きくなって大型化するという問題点があった。そして、雌ねじ部４ａと雄ねじ部５ａとがロータ３の下方に位置しており、ロータが下方のねじ送り機構により回転駆動されるため、回転によりロータ３が振れやすいという問題点があった。
【０００９】
また、ロータ３の回転を規制するストッパ機構は、同様にロータ３の下方に位置しているため、図７の５ｂ，４ｂの外周部に空間ができデッドスペースとなっていた。また、下ストッパ４ｂに弁軸ホルダ５とともに回転する上ストッパ５ｂが係合するとロータ３が傾斜しやすいという問題点があった。
【００１０】
本発明は、このような問題に鑑みてなされたものであって、その目的とするところはキャン全長および弁本体を小型化できるとともにロータの回転が安定し、ロータがストッパ機構により規制されるときもロータが傾かず作動が安定し、低いコストで製造できる電動弁を提供することにある。
【００１１】
【課題を解決するための手段】
前記目的を達成すべく、本発明は、弁室内の弁座に弁軸によって接離する弁体で通過流量を調整する弁本体と、該弁本体に固着され前記弁体を弁座に接離させるロータを内蔵するキャンと、該キャンに外嵌され前記ロータを回転駆動するステータとを備えた電動弁において、前記弁体を弁座に接離させる駆動機構は、前記弁本体よりロータ方向に延出して固定され固定ねじ部が形成されたガイドブッシュと、前記ロータを支持し該ガイドブッシュの固定ねじ部に螺合する移動ねじ部を有する弁軸ホルダとから構成されるねじ送り機構であり、前記弁軸ホルダとロータの上端部とは支持リングを介してかしめ固定され、前記支持リングはかしめ固定部の外周に溝部を有する電動弁である。
【００１２】
そして、本発明は、前記弁軸ホルダとロータの上端部とは支持リングを介してかしめ固定され、前記支持リングはリングの内周部に凹部を有する前記電動弁である。
【００１３】
また、本発明は、前記かしめ固定はスピニングかしめによって行なわれる前記電動弁である。
【００１４】
さらに、本発明は、前記ねじ送り機構は前記ロータ内に位置する前記電動弁である。
【００１５】
さらにまた、本発明において、前記弁軸の上端には該弁軸と前記弁軸ホルダとを連結するプッシュナットが固定され、該プッシュナットの外周に円筒状の圧縮コイルばねで構成される復帰ばねを取付け、ガイドブッシュの固定ねじ部と弁軸ホルダの移動ねじ部との螺合が外れたときに前記復帰ばねがキャン内面に当接して螺合を復帰させるように付勢し、前記復帰ばねは密着巻回部を有し、該密着巻回部にてプッシュナットの外周に取付けられていると好適である。また、前記復帰ばねは一端より巻回部中心に延長形成された直線部を有し、前記復帰ばねはプッシュナットが固定された弁軸に形成されたスリットに前記直線部を挿入して取付けられていると好適である。
【００１６】
このように構成された電動弁は、ねじ送り機構がロータ内に配置されているためキャン全長および弁本体の外径が小さくなり電動弁を小型化できる。ステータに通電励磁してロータを回転させると、ロータを支持駆動するねじ送り機構がロータ内に配置されているため、ロータの回転が安定してロータが回転軸に対して振れることが少ない。
【００１７】
なお、ストッパ機構をロータ内に配置することにより、固定ストッパに対して移動ストッパが係合してロータが停止しても、ロータが傾いた状態で停止することが少なく、ロータを逆転させて弁口を開く場合でも安定して回転を再開することができる。固定ストッパと移動ストッパを同形にすれば、ストッパ単体で製造し、のち、送りねじ及び弁ホルダに圧入等の方法で組みつければコストダウンが達成可能になる。
【００１８】
本発明は、弁軸ホルダとロータの上端部とを支持リングを介してかしめ固定し、支持リングはかしめ固定部の外周に溝部を有するように構成しているため、かしめ固定するとき支持リングに発生する応力がロータに直接作用することがなく、ロータの品質を安定させることができ、ロータの長期信頼性を向上させることができる。
【００１９】
また、本発明は、上記かしめ固定としてスピニングかしめを用いることにより、かしめ加重を低減することができ、上記溝部を設けることなく、ロータ３０に発生するクリープによる変形とロータ３０に発生する亀裂とを防止できる。
【００２０】
さらに、弁軸ホルダとロータの上端部とを支持リングを介してかしめ固定し、支持リングはその内周側に凹部を形成している構成であるため、弁軸ホルダのかしめ部分が上記凹部にくい込み、支持リング６５と弁軸ホルダ３２との締結力をさらに一層向上させることができる。
【００２１】
弁軸の上端に固定されたプッシュナットの外周に、円筒状の圧縮コイルばねで構成される復帰ばねを取付けることによりコストダウンを達成でき、復帰ばねは密着巻回部にてプッシュナットの外周に連結されるように構成することにより、電動弁が輸送時等に反転した状態になっても復帰ばねの姿勢は安定し、脱落する虜はない。
【００２２】
【発明の実施の形態】
以下、本発明の電動弁の位置実施形態を図面に基づき詳細に説明する。図１は、本発明に係る電動弁の一実施形態の縦断面図である。電動弁１０は、弁室２１内の弁座２２に接離する弁体２３により冷媒の通過流量を調整する弁本体２０と、弁本体２０に固着され弁体２３を接離させるロータ３０を内蔵するキャン４０と、キャン４０に外嵌されロータ３０を回転駆動するステータ５０とを備えている。ロータ３０とステータ５０によりステッピングモータを構成している。
【００２３】
キャン４０はステンレス等の非磁性の金属から形成される有底円筒状をしており、弁本体２０の上部に固着されたステンレス製の鍔状板４１に溶接等により固着され、内部は気密状態に保たれている。ステータ５０は磁性材より構成されるヨーク５１と、このヨーク５１にボビン５２を介して巻回される上下のステータコイル５３，５３とから構成され、キャン４０に外嵌する嵌合穴５０ａが形成されている。
【００２４】
ニードル弁から構成される弁体２３は黄銅製の弁軸２４の下端に形成されている。弁体２３を弁座２２に接離させる駆動機構は、弁本体２０よりロータ３０方向に延出して固定され固定ねじ部２５が形成される筒状のガイドブッシュ２６と、該ガイドブッシュ２６の固定ねじ部２５に螺合する移動ねじ部３１を有する弁軸ホルダ３２とから構成されるねじ送り機構であり、前記ねじ送り機構をロータ３０内の軸方向全長の略中央部に配置している。
【００２５】
このため、従来の電動弁のようにロータの下方にねじ送り機構が位置するものと比較すると、軸方向の長さおよび弁本体の外径を大幅に低減することができ、電動弁の小型化を図ることができる。固定ねじ部２５はガイドブッシュ２６の外周に雄ねじで構成され、移動ねじ部３１は弁軸ホルダ３２の内周に雌ねじで構成されている。なお、ガイドブッシュ２６および弁軸ホルダ３２は、ともに黄銅製の円筒状材から形成されている。
【００２６】
弁軸ホルダ３２はガイドブッシュ２６の外側に位置する下方開口の円筒状をしており、前記のように内面に移動ねじ部３１を形成してあり、弁軸ホルダ３２の中心に弁軸２４の上部縮径部が嵌合してプッシュナット３３により連結されている。弁体２３を下端に形成した弁軸２４は黄銅より構成され、弁軸ホルダ３２の中心に上下動可能に嵌挿されており、弁軸ホルダ３２内に縮装された圧縮コイルばね３４によって常時下方に付勢されている。ガイドブッシュ２６の側面には弁室２１とキャン４０内の均圧を図る均圧孔３２ａが形成してある。
【００２７】
弁軸２４の上端に圧入固定されたプッシュナット３３の外周に円筒状の圧縮コイルばねで構成される復帰ばね３５を取付け、ガイドブッシュ２６の固定ねじ部２５と弁軸ホルダ３２の移動ねじ部３１との螺合が外れたときに、復帰ばね３５がキャン４０の内面に当接して固定ねじ部２５と移動ねじ部３１との螺合を復帰させるように付勢する。復帰ばね３５はプッシュナット３３の外周に緩く嵌合して載置した状態で取付けてもよく、またプッシュナットの外周に弾接するように取付けてもよい。
【００２８】
弁本体２０は黄銅等の金属から構成され、キャン４０との接合は、弁本体２０に溶接等により固着された鍔状板４１の段差部にキャンの端部を突き合わせ溶接することにより行っている。なお、突き合わせ溶接に限らず、キャン４０の端部を外周に平坦に折り曲げて鍔状部として形成し、この鍔状部と鍔状板４１とをいわゆる拝み溶接により固定するようにしてもよい。
【００２９】
弁軸ホルダ３２とロータ３０とは支持リング３６を介して結合されており、支持リング３６は本実施形態ではロータ３０の成形時にインサートされた黄銅製の金属リングで構成されている。支持リング３６の内周孔部に弁軸ホルダ３２の上部突部が嵌合し、上記突部の外周をかしめ固定してロータ３０、支持リング３６および弁軸ホルダ３２を結合している。弁本体２０、弁軸２４、ガイドブッシュ２６、弁軸ホルダ３２、支持リング３６は、前記したように全て黄銅より構成し、リサイクルを考慮した構成としている。さらに、それぞれの部品は圧入・かしめで結合されているので、たとえば、弁軸ホルダ３２と支持リングのかしめを除去することでロータを再利用することができる。なお、黄銅以外の金属、例えば、ステンレスを用いることができるのは勿論である。また、黄銅以外の金属、例えば、ステンレスを弁軸２４のみに用いることができるのは勿論である。
【００３０】
ガイドブッシュ２６にはストッパ機構の一方を構成する下ストッパ体（固定ストッパ）２７が固着されており、下ストッパ体２７はリング状のプラスチックより構成され、上方に板状の下ストッパ片２７ａが突設されている。また、弁軸ホルダ３２にはストッパ機構の他方を構成する上ストッパ体（移動ストッパ）３７が固着されており、上ストッパ体３７もリング状のプラスチックより構成され、下方に向けて板状の上ストッパ片３７ａが突設され前記した下ストッパ片２７ａと係合可能である。
【００３１】
下ストッパ体２７はガイドブッシュ２６の外周に形成された螺旋溝部分２６ａに射出成形により固着され、上ストッパ体３７は弁軸ホルダ３２の外周に形成された螺旋溝部分３２ｂに射出成形により固着されている。なお、下ストッパ体２７、上ストッパ体３７の固着は射出成形に限らず、接着や圧入等により固着してもよいのは勿論である。
【００３２】
ステータ５０から、ステータコイル５３，５３に接続された複数のリード端子５４が突出しており、このリード端子に複数のリード線５５が接続されたコネクタ５６が連結されている。そして、コネクタ５６を覆うカバー５７がステータ５０に溶着され、カバー５７内はシリコーン樹脂又はエポキシ樹脂等の充填材５８で充填されている。
【００３３】
ステータ５０は中心に下面開口の嵌合穴５０ａを有し、この嵌合穴にキャン４０が嵌合し、ステータ５０の下面に溶着された回り止め部材５９により弁本体２０およびキャン４０に固定される。回り止め部材５９はステータ５０の突部５０ｂを超音波ウェルダ等により押し潰すことにより固定され、弁本体２０から垂直方向の流体流入管２０ａおよび水平方向の流体流出管２０ｂが延出され、回り止め部材５９の２つの腕部により流体流出管２０ｂを保持することにより、ステータ５０は弁本体２０およびキャン４０に固定される。
【００３４】
前記の如く構成された電動弁１０の動作について説明する。ステータコイル５３，５３に一方向の通電を行い励磁すると、弁本体２０に固着されたガイドブッシュ２６に対しロータ３０および弁軸ホルダ３２が回転され、ガイドブッシュ２６の固定ねじ部２５と弁軸ホルダ３２の移動ねじ部３１とのねじ送り機構により、例えば弁軸ホルダ３２が下方に移動して弁体２３が弁座２２に着座圧接して弁口は閉じられる。
【００３５】
弁口が閉じられた時点では上ストッパ体３７は未だ下ストッパ体２７に当接しておらず、弁体２３が弁口を閉じたままロータ３０および弁軸ホルダ３２はさらに回転下降する。このときは弁軸２４に対して弁軸ホルダ３２が下降するため、圧縮コイルばね３４が圧縮されることにより弁軸ホルダ３２の下降力は吸収される。その後ロータ３０がさらに回転して弁軸ホルダ３２が下降されると、上ストッパ体３７のストッパ片３７ａが下ストッパ体２７のストッパ片２７ａに当接し、ステータコイル５３，５３に対する通電が続行されても弁軸ホルダ３２の下降は強制的に停止される。
【００３６】
上ストッパ体３７と下ストッパ体２７とから構成されるストッパ機構は、ロータ３０の軸方向の全長内に配置されているので、ストッパ機構が機能しているときでもロータ３０や弁軸ホルダ３２が大きく傾いたりすることが少なく作動が安定し、つぎにロータ３０を逆転するときでも円滑に行うことができる。
【００３７】
ステータコイル５３，５３に他方向の通電を行い励磁すると、弁本体２０に固着されたガイドブッシュ２６に対しロータ３０および弁軸ホルダ３２が前記と逆方向に回転され、ガイドブッシュ２６の固定ねじ部２５と弁軸ホルダ３２の移動ねじ部３１とのねじ送り機構により、今度は弁軸ホルダ３２が上方に移動して弁軸２４の下端の弁体２３が弁座２２から離れて弁口が開かれ、冷媒は弁口を通過することができる。そして、ロータ３０の回転量により冷媒の通過量を調整することができ、ロータの回転量はパルス数にて規制されるため正確な調整を行うことができる。
【００３８】
このようにロータ３０が回転し、ガイドブッシュ２６の固定ねじ部２５と弁軸ホルダ３２の移動ねじ部３１とのねじ送り機構によりロータ３０、弁軸ホルダ３２および弁軸２４が軸方向に摺動するが、ねじ送り機構がロータ３０内の特に中央部に位置し、ロータ３０の支持および駆動がロータ３０の全長内で行われているため、回転時にロータ３０が振れることが少なく安定して回転させることができる。
【００３９】
つぎに本発明の他の実施形態を説明する。図２は本発明に係る電動弁の他の実施形態の縦断面図である。この実施形態は前記した実施形態に対し、固定ストッパと移動ストッパが同形である点が異なっているのでこの点を詳細に説明し、他の実質的に同等の構成については同じ参照符号を付して詳細な説明は省略する。
【００４０】
固定ストッパである下ストッパ体６０はガイドブッシュ２６に固定されるリング状部から上方に突出するストッパ片を有している。また、移動ストッパである上ストッパ体６１は弁軸ホルダ３２から下方に突出するストッパ片を有し、下ストッパ体６０と上ストッパ体６１は同じ形状をしている。下ストッパ体６０、上ストッパ体６１はそれぞれガイドブッシュ２６、弁軸ホルダ３２に接着や圧入により固定したり、インサート成形により固定されるものである。この例においては、下ストッパ体６０、上ストッパ体６１は共通の部品として供給されるため、金型数を減らすことができるとともにコストダウンすることができる効果がある。
【００４１】
図３を参照して、弁軸ホルダとロータの固定構造の他の実施形態を説明する。図３はその要部断面図であり、（ａ）はかしめ前の状態、（ｂ）はかしめ後の状態を示す。弁軸ホルダ３２とロータ３０の上端部とはロータ３０にインサート成形された支持リング６５を介してかしめ固定され、支持リング６５はかしめ固定部の外周に円形の溝部６５ａを有する。このように構成することにより、弁軸ホルダ３２の上部突部をかしめて外周方向に湾曲変形させたとき支持リング６５に生じる外向きの応力は溝部６５ａにより吸収され、ロータ３０に影響を及ぼすことはなく、ロータ３０がクリープにより変形したり、亀裂が生じることはない。
【００４２】
なお、上記かしめ固定には、スピニングかしめを採用することにより、かしめ加重を低減することが可能となるので、ロータ３０にクリープが発生し変形が生じることを防止し、ロータ３０に発生する亀裂を防止できる。したがって、スピニングかしめを用いることにより、かしめ後の他の状態を示す図３（ｃ）に示す電動弁の要部断面図に示す如く上記溝部６５ｂは不要となる。しかも、上記スピニングかしめにより支持リング６５と弁軸ホルダ３２との締結力を一層向上させることができる。なお、図３（ｃ）においては、キャン４０、圧縮コイルバネ等は省略して示している。
【００４３】
また、本発明では、上記実施形態に限らず上記締結力をさらに一層向上させることが可能である。即ち、支持リング６５の構成を図４（ａ）に示す平面図の如く支持リング６５の内周側に適宜の数の凹部６５ｂを設け（図では４個設けている）、弁軸ホルダ３２にスピニングかしめを実施することにより、図４（ｂ）に示す如く弁軸ホルダ３２のかしめ部（図の斜線部で示す）を上記４個の凹部にくい込ませることにより、くい込み部３２ａを形成することが可能となり、これにより支持リング６５と弁軸ホルダ３２との締結力をさらに一層向上させることができる。
【００４４】
図５を参照して、弁軸ホルダとロータの固定構造のさらに他の実施形態を説明する。図５はその要部断面図である。弁軸ホルダ３２とロータ３０の上端部とは、中間に円周状の折曲げ部６６ａを有するロータ３０にインサート成形された支持リング６６を介して圧入固定されている。このように構成することにより、弁軸ホルダ３２の上部突部をかしめて外周方向に湾曲変形させたとき支持リング６６に圧入して生じる外向きの応力Ｆは折曲げ部６６ａが変形することにより吸収され、図３の実施形態と同様にロータ３０に影響を及ぼすことは少なく、ロータ３０がクリープにより変形したり、亀裂が生じることを防止することができる。
【００４５】
図６を参照して、復帰ばねの他の実施形態を説明する。図６は復帰ばねの他の実施形態を示す電動弁の要部断面図であり、（ａ）は通常状態、（ｂ）は復帰ばねが移動した状態を示す。復帰ばね６７はプッシュナット３３に取付けられる下部に密着巻回部６７ａを有している。密着巻回部６７ａは５巻き程度が密着されて形成され、プッシュナット３３の外周に嵌合して取付けられている。このように構成することにより、電動弁１０が輸送時等に反転した状態になり復帰ばね６７がキャン４０の内面に当接するように移動しても、復帰ばね６７は密着巻回部６７ａによりプッシュナット３３に安定してガイドされているので軸方向に移動するだけで傾いたりすることがなく、脱落することはない。
【００４６】
図７を参照して、復帰ばねのさらに他の実施形態を説明する。図７は復帰ばねのさらに他の実施形態を示す電動弁の要部断面図である。復帰ばね６８は一端より巻回部中心に延長形成された直線部６８ａを有し、復帰ばね６８はプッシュナット３３が固定された弁軸２４の上端の中心に沿って軸方向に形成されたスリット２４ａに直線部６８ａを挿入して取付けられる。
【００４７】
このように構成することにより、電動弁１０が輸送時等に反転した状態になり復帰ばね６８がキャン４０の内面に当接するように移動しても、復帰ばね６８は直線部６８ａがスリット２４ａによりガイドされるため傾いたりすることがなく、脱落することはない。
【００４８】
なお、前記した各実施形態では、ガイドブッシュの固定ねじ部に雄ねじを形成し、弁軸ホルダの移動ねじ部に雌ねじを形成したが、固定ねじ部に雌ねじを形成し、移動ねじ部に雄ねじを形成するようにしてもよいのは勿論である。
【００４９】
【発明の効果】
以上の説明から理解できるように、本発明の電動弁は、全長を短くできるため電動弁を小型化できる。また、弁口を開閉させるロータの回転を安定させることができ、ロータがストッパにより規制されたときもロータが傾斜することが少なく、安定して作動させることができる。
【図面の簡単な説明】
【図１】本発明に係る電動弁の一実施形態の縦断面図。
【図２】本発明に係る電動弁の他の実施形態の縦断面図。
【図３】弁軸ホルダとロータの固定構造の他の実施形態を示し、（ａ）はかしめ前の状態、（ｂ）はかしめ後の状態を示す電動弁の要部断面図、（ｃ）はかしめ後の他の状態を示す電動弁の要部断面図。
【図４】弁軸ホルダとロータの固定構造のさらに他の実施形態を示し、（ａ）は支持リングの構成を示す平面図、（ｂ）は支持リングと弁軸ホルダのかしめ状態を説明する平面図。
【図５】弁軸ホルダとロータの固定構造のさらに他の実施形態を示す電動弁の要部断面図。
【図６】復帰ばねの他の実施形態を示し、（ａ）は通常状態、（ｂ）は復帰ばねが移動した状態を示す電動弁の要部断面図。
【図７】復帰ばねのさらに他の実施形態を示す電動弁の要部断面図。
【図８】従来の電動弁の縦断面図。
【符号の説明】
１０  電動弁
２０  弁本体
２１  弁室
２２  弁座
２３  弁体
２４  弁軸
２４ａ  スリット
２５  固定ねじ部
２６  ガイドブッシュ
２７，６０  下ストッパ
３０  ロータ
３１  移動ねじ部
３２  弁軸ホルダ
３３  プッシュナット
３４  圧縮コイルバネ
３５，６７，６８  復帰ばね
３６，６５、６６  支持リング
３７，６１  上ストッパ体
４０  キャン
５０  ステータ
６５ａ  溝部
６６ａ  折曲げ部
６７ａ  密着巻回線
６８ａ  直線部
【図１】
0004224187.tif 000002
【図２】
0004224187.tif 000003
【図３】
0004224187.tif 000004
【図４】
0004224187.tif 000005
【図５】
0004224187.tif 000006
【図６】
0004224187.tif 000007
【図７】
0004224187.tif 000008
【図８】
0004224187.tif 000009